(57)【要約】  【課題】  省スペース且つ低コストで、ブーツを容易に支持させることができるブーツ支持具を提供すること。  【解決手段】  ブーツを脱いでブーツ支持具１により支持させる場合には、まず、片方のブーツＢを脱いで、そのはき口を取付部７と一方の挟持部材９との間に挟持させる。次に、もう片方のブーツＢを脱いだときには、先に脱いだブーツを挟持させたままで、取付部７と他方の挟持部材９との間を開き、後に脱いだブーツＢのはき口を介挿して挟持させることができる。すなわち、ブーツ支持具１によればブーツＢのはき口を片方ずつ順番に挟持させることができるので、一対のブーツＢのはき口をまとめたり、ブーツＢ内部に保持具を挿入するなどの面倒な作業を要さずに、ブーツＢを容易に支持させることができる。  【選択図】        図１
2006325677.tif 000002
【特許請求の範囲】
【請求項１】
一対のブーツを直立状態に支持して、そのブーツの型くずれを防止するために使用されるブーツ支持具において、
前記一対のブーツの底が載置される板状の基台と、
その基台から前記ブーツのはき口側に向かって立設される立設部材と、
前記立設部材の両側において前記立設部材との間が互いに独立に開閉可能に配設された一対の挟持部材と、
前記立設部材とその両側に配設された前記一対の挟持部材との間で前記ブーツのはき口をそれぞれ片方ずつ挟持するために、前記一対の挟持部材を互いに独立に、前記立設部材との間が閉じる方向にそれぞれ付勢する一対の付勢部材とを備えることを特徴とするブーツ支持具。
【請求項２】
手指で操作されることにより、前記一対の付勢部材の付勢力に抗して前記立設部材との間が開く方向の力を、前記一対の挟持部材に互いに独立に付与する一対の把持部を備えることを特徴とする請求項１記載のブーツ支持具。
【請求項３】
前記立設部材は、その立設方向長さが伸縮可能に構成されていることを特徴とする請求項１または２に記載のブーツ支持具。
【請求項４】
前記一対の挟持部材は前記立設部材に対し外側に凸に湾曲した薄板状に構成され、上部は前記立設部材に連結され且つ下部は前記立設部材との間が開閉可能であり、上下方向中央部と前記立設部材との間に間隙を有することを特徴とする請求項１から３のいずれかに記載のブーツ支持具。
【請求項５】
前記立設部材は、前記一対の挟持部材の上部が連結される連結部と、前記一対の挟持部材との間で前記ブーツのはき口を挟持する受部とを備え、前記連結部と前記受部との間がくびれていることを特徴とする請求項４記載のブーツ支持具。
【請求項６】
前記立設部材の受部は平板状に構成され、前記一対の挟持部材は前記受部の板厚方向の両側に前記ブーツのはき口を挟持するものであって、
前記受部の両側における前記一対の挟持部材の横幅寸法は、２．５ｃｍ以上４ｃｍ未満であることを特徴とする請求項４または５に記載のブーツ支持具。
【請求項７】
前記立設部材の連結部に脱着可能に連結される中央部材を備え、
前記一対の挟持部材と前記一対の付勢部材とは前記中央部材に一体的に取り付けられ、前記中央部材を介して前記立設部材に連結されるものであることを特徴とする請求項５または６に記載のブーツ支持具。
【請求項８】
前記一対の挟持部材の下部はくし状に構成され、一方の挟持部材の下部のくしの歯が、他方の挟持部材の下部のくしの歯の間に配置されるように前記一対の挟持部材が前記中央部材に取り付けられているものである請求項７記載のブーツ支持具。
【請求項９】
前記基台は、板厚方向に貫通する複数の貫通孔が穿設されていることを特徴とする請求項１から８のいずれかに記載のブーツ支持具。
【請求項１０】
前記立設部材は、前記基台に対し脱着可能に構成されることを特徴とする請求項１から９のいずれかに記載のブーツ支持具。
【請求項１１】
前記立設部材は、前記挟持部材との間でブーツのはき口を挟持する面にコルク材が貼付されていることを特徴とする請求項１から１０のいずれかに記載のブーツ支持具。
【発明の詳細な説明】
【技術分野】
【０００１】
本発明はブーツ支持具に関し、特に、ブーツを容易に支持させることができるブーツ支持具に関するものである。
【背景技術】
【０００２】
近年、ふくらはぎ部分まで覆うようにしたロングブーツが流行している。このようなふくらはぎ部分に対応する筒部分を有するロングブーツは、ぬいだ後、上記筒部分が長いためダラリと途中から折れ曲がったり、倒れ易いという問題点がある。特に、雨の日の汚れた玄関でぬぐとロングブーツが汚れてしまう。更に、筒部分が折れ曲がると、型くずれが生じて好ましくない。
【０００３】
そこで、ブーツを型くずれしないように支持して保管する種々のブーツ支持具が提案されている。例えば、特開２００２−１５３３７０号公報（特許文献１）には、ブーツ内部の形状に対応した保持具をブーツ内に収容してブーツを支持するブーツ支持具が提案されている。特許文献１に提案されたブーツ支持具によれば、内部に挿入された保持具により、ブーツの筒部分が直立状態に保持されるので、折れ曲がりや型くずれを防止することができる。
【特許文献１】特開２００２−１５３３７０号公報
【発明の開示】
【発明が解決しようとする課題】
【０００４】
しかしながら、上述の特許文献１に開示されているブーツ支持具では、ブーツ内に保持具を挿入しなければならないため、ブーツの収納作業が面倒であるという不都合があった。特に、側面に設けられたファスナーを下ろして筒部分を開放して脱ぐタイプのブーツや、ロングブーツを収納する場合に、上述の不都合が顕著となる。これらのブーツは、脱いだ後は、筒部分が折れ曲がり易いので、型くずれ、転倒および汚れの付着を防止するため、すぐに保持具を挿入し、直立状態に支持させることが望ましい。したがって、ブーツの着用者は、片方のブーツを脱いだ後、もう片方のブーツを履いた不自然な体勢のまま、先に脱いだブーツ内に保持具を挿入するという面倒な作業をしなくてはならない。
【０００５】
また、側面にファスナーが形成されているタイプのブーツの場合は、保持具を挿入した後、ファスナーをはき口まで上げなければならず、さらに面倒な作業となる。このようなタイプのブーツは、側面に形成されたファスナーを足首下まで下ろし、筒部分を開放した状態で、脚の出し入れが可能となる。すなわち、脱ぐときと履くときと何れの場合もファスナーを下ろして筒部分を開放しなければならない。したがって、ブーツを脱いだ後は、ファスナーを全開としたままで収納できることが望ましい。そうすれば、次回ブーツを履くとき、そのまま脚を挿入し履くことができるからである。しかしながら、上述のブーツ支持具では、保持具を挿入した後ファスナーを全閉としなければならず、また、ブーツを履くときには、再度ファスナーを全開としなければならなかったのである。
【０００６】
一方、ブーツ内に上記保持具を挿入する代わりに、左右一対のブーツのはき口をクリップによりまとめて挟持するブーツ支持具も提案されている。これによれば、ブーツ内に保持具を挿入する作業が不要となる。しかしながら、左右一対のブーツのはき口を一つのクリップでまとめて挟持しているために、ブーツの収納時の作業が面倒であるという不都合がある。
【０００７】
図７は、従来のブーツ支持具の使用法を説明する図である。例えば、ロングブーツＬＢは、図７（ａ）に示すように、脱いだ状態においては比較的折れ曲がりやすいので、脱いだ後、すぐにブーツ支持具により支持させることが望ましい。したがって、ブーツの着用者は、片方のブーツを脱いだら、他方のブーツは履いたままで、先に脱いだ方のブーツをクリップＣで挟持して支持し（図７（ｂ）参照）、その後、他方のブーツを脱ぐ。そして、後に脱いだブーツをクリップに挟持させるときには、クリップＣに先に挟持されていたブーツのはき口を片手で押さえて折れ曲がりを防止しつつ（図７（ｃ）参照）、他方の手でクリップＣを開脚し、さらに、先に挟持されていたブーツと後に脱がれたブーツのはき口とを合わせてクリップＣで挟持する（図７（ｄ）参照）という面倒な作業が必要となる。すなわち、クリップＣが一つしか設けられていないので、先に支持したブーツを挟持したままでは、他方のブーツを支持させることができず、作業が面倒なものとなっていたのである。
【０００８】
これに対し、クリップを二つ設け、ブーツを片方ずつ分離して挟持させることも考えられるが、部品点数が多くなりコストが増大するという問題点、またブーツを分離して挟持するとブーツ支持具が大型化し広い設置スペースが必要になるという問題点があるため好ましくない。
【０００９】
本発明は上述した問題点を解決するためになされたものであり、省スペース且つ低コストで、ブーツを容易に支持させることができるブーツ支持具を提供することを目的としている。
【課題を解決するための手段】
【００１０】
この目的を達成するために、請求項１記載のブーツ支持具は、一対のブーツを直立状態に支持して、そのブーツの型くずれを防止するために使用されるものであって、前記一対のブーツの底が載置される板状の基台と、その基台から前記ブーツのはき口側に向かって立設される立設部材と、前記立設部材の両側において前記立設部材との間が互いに独立に開閉可能に配設された一対の挟持部材と、前記立設部材とその両側に配設された前記一対の挟持部材との間で前記ブーツのはき口をそれぞれ片方ずつ挟持するために、前記一対の挟持部材を互いに独立に、前記立設部材との間が閉じる方向にそれぞれ付勢する一対の付勢部材とを備える。
【００１１】
請求項２記載のブーツ支持具は、請求項１記載のブーツ支持具において、手指で操作されることにより、前記一対の付勢部材の付勢力に抗して前記立設部材との間が開く方向の力を、前記一対の挟持部材に互いに独立に付与する一対の把持部を備える。
【００１２】
請求項３記載のブーツ支持具は、請求項１または２に記載のブーツ支持具において、前記立設部材は、その立設方向長さが伸縮可能に構成されている。
【００１３】
請求項４記載のブーツ支持具は、請求項１から３のいずれかに記載のブーツ支持具において、前記一対の挟持部材は前記立設部材に対し外側に凸に湾曲した薄板状に構成され、上部は前記立設部材に連結され且つ下部は前記立設部材との間が開閉可能であり、上下方向中央部と前記立設部材との間に間隙を有する。
【００１４】
請求項５記載のブーツ支持具は、請求項４記載のブーツ支持具において、前記立設部材は、前記一対の挟持部材の上部が連結される連結部と、前記一対の挟持部材との間で前記ブーツのはき口を挟持する受部とを備え、前記連結部と前記受部との間がくびれている。
【００１５】
請求項６記載のブーツ支持具は、請求項４または５に記載のブーツ支持具において、前記立設部材の受部は平板状に構成され、前記一対の挟持部材は前記受部の板厚方向の両側に前記ブーツのはき口を挟持するものであって、前記受部の両側における前記一対の挟持部材の横幅寸法は、２．５ｃｍ以上４ｃｍ未満である。
【００１６】
請求項７記載のブーツ支持具は、請求項５または６に記載のブーツ支持具において、前記立設部材の連結部に脱着可能に連結される中央部材を備え、前記一対の挟持部材と前記一対の付勢部材とは前記中央部材に一体的に取り付けられ、前記中央部材を介して前記立設部材に連結されるものである。
【００１７】
請求項８記載のブーツ支持具は、請求項７記載のブーツ支持具において、前記一対の挟持部材の下部はくし状に構成され、一方の挟持部材の下部のくしの歯が、他方の挟持部材の下部のくしの歯の間に配置されるように前記一対の挟持部材が前記中央部材に取り付けられている。
【００１８】
請求項９記載のブーツ支持具は、請求項１から８のいずれかに記載のブーツ支持具において、前記基台は、板厚方向に貫通する複数の貫通孔が穿設されている。
【００１９】
請求項１０記載のブーツ支持具は、請求項１から９のいずれかに記載のブーツ支持具において、前記立設部材は、前記基台に対し脱着可能に構成されている。
【００２０】
請求項１１記載のブーツ支持具は、請求項１から１０のいずれかに記載のブーツ支持具において、前記立設部材は、前記挟持部材との間でブーツのはき口を挟持する面にコルク材が貼付されている。
【発明の効果】
【００２１】
請求項１記載のブーツ支持具によれば、立設部材とその両側に配設された一対の挟持部材との間でブーツのはき口がそれぞれ片方ずつ挟持されるので、基台に載置されたブーツの底から挟持部材に挟持されたはき口までが直立状態に支持されて、ブーツの折れ曲がりや転倒を防止することができる。
【００２２】
ここで、一対の挟持部材は、立設部材との間が互いに独立に開閉可能に配設されており、一対の付勢部材により、互いに独立に、立設部材との間が閉じる方向にそれぞれ付勢されるので、一方の挟持部材と立設部材との間に、一方のブーツのはき口を挟持させたまま、他方の挟持部材と立設部材との間を開いて他方のブーツのはき口を介挿し、挟持させることができる。
【００２３】
よって、まず、片方のブーツを脱いで、そのはき口を立設部材と一方の挟持部材との間に挟持させ、次に、もう片方のブーツを脱いだときには、先に脱いだブーツを挟持させたままで、立設部材と他方の挟持部材との間を開き、後に脱いだブーツのはき口を介挿して挟持させることができる。すなわち、ブーツのはき口を片方ずつ順番に挟持させることができるので、一対のブーツのはき口をまとめたり、ブーツ内部に保持具を挿入するなどの面倒な作業を要さずに、ブーツを容易に支持させることができるという効果がある。
【００２４】
これに対し、従来のブーツ支持具では、はき口を挟持するクリップが設けられていたものの、クリップに設けられた一対の挟持部材が独立に開閉可能に構成されていなかった。そのため、一方のブーツを脱いだ後は、先に脱いだそのブーツのはき口を、一旦、クリップに挟持させてから、他方のブーツを脱ぐ。そして後に脱いだブーツをクリップに挟持させるために、先に脱いだブーツのはき口を片手で支えつつ、他方の手でクリップを開脚して先に脱いだブーツのはき口を取り外す。そして先に脱いだブーツと後に脱いだブーツのはき口と片手でまとめてクリップに介挿し、挟持させるという面倒な作業が必要になっていたのである。
【００２５】
なお、ブーツ筒部分の側面にファスナーが形成されたタイプのブーツを支持させる場合には、ファスナーにより分離された、はき口の２つの端部を重ね合わせて立設部材と挟持部材との間に介挿して挟持させてもよい。これにより、ファスナーを閉めずともブーツを直立状態に支持することができ、ブーツを容易に支持させることができるという効果がある。
【００２６】
さらに、立設部材とその両側に設けられた一対の挟持部材との間で、ブーツのはき口がそれぞれ片方ずつ挟持されるので、例えば２つのクリップを設けてブーツを片方ずつ分離して挟持する場合に比較して、省スペースでブーツを支持することができ、また、部品点数を少なくしてブーツ支持具を低コストとすることができるという効果がある。
【００２７】
請求項２記載のブーツ支持具によれば、請求項１記載のブーツ支持具の奏する効果に加え、一対の把持部のうち、いずれか一方の把持部のみを手指で操作することにより、一方の挟持部材と立設部材との間のみを開くことができる。よって、ブーツのはき口を片方ずつ順番に挟持させることができるので、一対のブーツのはき口をまとめたり、ブーツ内部に保持具を挿入するなどの面倒な作業を要さずに、ブーツを容易に支持させることができるという効果がある。
【００２８】
請求項３記載のブーツ支持具によれば、請求項１または２に記載のブーツ支持具の奏する効果に加え、前記立設部材は、その立設方向長さが伸縮可能に構成されているので、ブーツのはき口の高さに関わらず、立設部材の両側に配設された挟持部材を適切な高さに調整することができるので、１つのブーツ支持具で様々な形状のブーツを支持することができるという効果がある。
【００２９】
請求項４記載のブーツ支持具によれば、請求項１から３のいずれかに記載のブーツ支持具の奏する効果に加え、前記一対の挟持部材は前記立設部材に対し外側に凸に湾曲した薄板状に構成され、上部は前記立設部材に連結され且つ下部は前記立設部材との間が開閉可能であり、上下方向中央部と前記立設部材との間に間隙を有するので、挟持部材の上下方向中央部と立設部材との間において作業スペースが確保され、挟持部材と立設部材との間にブーツのはき口を介挿して挟持させる作業がし易くなり、ブーツを容易に支持させることができるという効果がある。特に、ファスナーにより分離された、はき口の２つの端部を手指などで重ね合わせつつ、挟持部材と立設部材との間に介挿して挟持させる場合には、作業スペースを確保することにより、格段に作業がし易くなる。
【００３０】
請求項５記載のブーツ支持具によれば、請求項４記載のブーツ支持具の奏する効果に加え、前記立設部材は、前記一対の挟持部材の上部が連結される連結部と、前記一対の挟持部材との間で前記ブーツのはき口を挟持する受部とを備え、前記連結部と前記受部との間がくびれているので、連結部と受部との間に作業スペースが確保され、挟持部材と立設部材の受部との間にブーツのはき口を介挿して挟持させる作業がし易くなり、ブーツを容易に支持させることができるという効果がある。特に、ファスナーにより分離された、はき口の２つの端部を手指などで重ね合わせつつ、挟持部材と立設部材との間に介挿して挟持させる場合には、作業スペースを確保することにより、格段に作業がし易くなる。
【００３１】
請求項６記載のブーツ支持具によれば、請求項４または５に記載のブーツ支持具の奏する効果に加え、一対の挟持部材の横幅寸法は、２．５ｃｍ以上４ｃｍ未満であるので、様々な種類のブーツを好適に支持させることができるという効果がある。挟持部材の横幅寸法が２．５ｃｍ未満であると、挟持部材の挟持力が小面積に集中して、ブーツが傷みやすく、一方、挟持部材の横幅寸法が４ｃｍ以上であると、ブーツのはき口に挿入し難いのである。
【００３２】
請求項７記載のブーツ支持具によれば、請求項５または６に記載のブーツ支持具の奏する効果に加え、立設部材の連結部から中央部材を脱着することにより、中央部材とその中央部材に一体的に取り付けられた一対の挟持部材と一対の付勢部材とをブーツ支持具から取り外して携帯することができるという効果がある。中央部材に一体的に取り付けられた一対の挟持部材により、一対のブーツのはき口をまとめて挟持し、壁などに立て掛けることによりブーツを簡易的に直立状態に支持することができるので、これらを携帯することにより、ブーツ支持具が設置されていない外出先であっても、脱いだブーツを直立状態に支持することができ便利である。
【００３３】
請求項８記載のブーツ支持具によれば、請求項７記載のブーツ支持具の奏する効果に加え、一対の挟持部材がコンパクトに配置され、中央部材を連結部から脱着して持ち歩く際の携帯性が良い。
【００３４】
請求項９記載のブーツ支持具によれば、請求項１から８のいずれかに記載のブーツ支持具の奏する効果に加え、ブーツ底に付着した水滴が貫通孔を通って水切りがされ、また、基台の通気性が良くなるので、保管性に優れる。
【００３５】
請求項１０記載のブーツ支持具によれば、請求項１から９のいずれかに記載のブーツ支持具の奏する効果に加え、ブーツ支持具の不使用時には、基台と立設部材とを互いに分離することにより、広いスペースを要さずに収納できる。
【００３６】
請求項１１記載のブーツ支持具によれば、請求項１から１０のいずれかに記載のブーツ支持具の奏する効果に加え、前記立設部材は、挟持部材との間でブーツのはき口を挟持する面にコルク材が貼付されているので、立設部材と挟持部材との間に挟持されたブーツのはき口が滑り落ちることが抑制される。
【発明を実施するための最良の形態】
【００３７】
以下、本発明の好ましい実施例について、添付図面を参照して説明する。図１は、本発明の一実施例であるブーツ支持具１を示した図であり、（ａ）はブーツ支持具１の正面図であり、（ｂ）はブーツ支持具１の側面図である。なお、図１（ａ），（ｂ）では、伸縮可能に構成された立設部材５が最も伸長された状態で図示されている。まず、図１（ａ），（ｂ）を参照してブーツ支持具１の全体構成について説明する。
【００３８】
ブーツ支持具１は、ブーツＢのソール（底）が載置される基台部材２と、その基台部材２からブーツＢのはき口側に向かって立設される立設部材５と、その立設部材５の立設方向（図１上側）先端に連結されブーツＢのはき口を挟持可能に構成されるクリップ６とを備えており、立設部材５の先端において、クリップ６によりブーツＢのはき口を挟持して保持することにより、脱いだブーツＢを直立状態に支持してその型くずれ、転倒及び汚れの付着を防止するための道具である。
【００３９】
基台部材２は、ブーツＢのソールが載置される部材であり、矩形平板状に形成されている。基台部材２の上面略中央部には、連結部材３が配設されている。連結部材３は、後述する立設部材５を連結するための中空筒状体であり、上方に開口する。後述する立設部材５の下端を連結部材３に嵌合することにより、立設部材５が脱着可能に基台部材２に連結される。
【００４０】
立設部材５は、上述した基台部材２と後述するクリップ６とを連結するための部材であり、図１（ａ），（ｂ）に示すように、細長い棒状体に形成されている。この立設部材５は、ステンレス等の金属材料から中空筒状体に形成された複数の棒状部材５ａ、５ｂと、位置固定部材５ｃと、棒状部材５ｂの先端に設けられた取付部７とを備えている。棒状部材５ｂは、棒状部材５ａ内に伸縮可能に挿入されている。位置固定部材５ｃにより棒状部材５ａの先端側を締め付けた状態では、棒状部材５ｂが棒状部材５ａに対して固定され、立設部材５の高さが固定される。一方、位置固定部材５ｃによる締め付けを緩めることにより、棒状部材５ｂが棒状部材５ａに対して相対移動可能となり、立設部材５を立設方向（図１（ａ）上下方向）に伸縮させて、その長さを自在に調整することができる。よって、ブーツＢのはき口の高さに関わらず、立設部材５の先端に設けられたクリップ６の挟持部材９を適切な高さに調整することができるので、１のブーツ支持具１で様々な形状のブーツＢを支持することができる。
【００４１】
なお、棒状部材５ａ、５ｂの長手方向の長さ寸法は、共に、例えば約２８ｃｍで構成される。このようにすれば、棒状部材５ａの下端から棒状部材５ｂの先端までの長さを、２８ｃｍから５６ｃｍの間で自在に調整することができる。この範囲であれば、市販されているほとんどのブーツの高さに合わせて、立設部材５を伸縮させることができる。
【００４２】
また、上述したように、立設部材５は基体部材２に対し脱着可能に構成されているので、ブーツ支持具１の不使用時には、基台部材２と立設部材５とを互いに分離し、且つ立設部材５の立設方向長さを短縮することにより、広いスペースを要さずにブーツ支持具１を収納することができる。
【００４３】
図２を参照して、クリップ６および取付部７の詳細な構成について説明する。図２（ａ）は、クリップ６を拡大して示す斜視図であり、図２（ｂ）は、クリップ６が脱着された取付部７を拡大して示す斜視図である。なお、図２（ａ）に示すクリップ６は、取付部７から脱着された状態を示す図である。
【００４４】
図２（ａ）に示すように、クリップ６は、中央部材８と、中央部材８に一体的に取り付けられた一対の挟持部材９、一対の把持部１０、及び一対のコイルばね１１から構成される。クリップ６は、中央部材８を介して後述する取付部７に連結され、取付部７と挟持部材９との間にブーツＢのはき口を片方ずつ挟持するものである（図１参照）。
【００４５】
中央部材８は、平板状の中央板８ａと、中央板８ａの下方に突設された嵌合突部８ｂと、中央板８ａの板厚方向両側に設けられた一対の軸８ｃとを備える。中央部材８は、嵌合突部８ｂが、後述する取付部７先端の連結部７ａに嵌合されることにより、取付部７に脱着可能に連結される。
【００４６】
一対の挟持部材９は、取付部７に対し外側に凸に湾曲した薄板状に構成された部材であって、その上部が中央部材８を介して取付部７に連結されることにより、取付部７の両側に配設される。（図１（ａ）参照）。なお、挟持部材９は、軸８ｃの軸心回りに回動可能に取り付けられる。挟持部材９を軸８ｃの軸心回りに回動させることにより、挟持部材９の下部と取付部７との間を開閉させることができる。
【００４７】
ここで、図２（ａ）に示すように、一対の挟持部材９は、互いに異なる軸８ｃに取り付けられている。したがって、一対の挟持部材９は、取付部７との間を互いに独立に開閉することができる。換言すれば、一方の挟持部材９と取付部７との間の開閉状態はそのままで、他方の挟持部材９と取付部７との間の開閉状態を変化させることができる。
【００４８】
また、一対の挟持部材９の下部はくし状に構成され、中央部材８が、後述する取付部７から脱着された状態（図２（ａ）に示す状態）において、一方の挟持部材９の下部のくしの歯が、他方の挟持部材９の下部のくしの歯の間に配置されるように一対の挟持部材９が中央部材８に取り付けられている。したがって、一対の挟持部材９がコンパクトに配置されるので、中央部材８を取付部７から脱着して、クリップ６のみを携帯するのに便利である。なお、クリップ６のみの使用方法については後に詳細に説明する。
【００４９】
一対の把持部１０は、中央部材８に対し外側に張り出した薄板状に構成された部材である。把持部１０は、挟持部材９の上部に一体的に取り付けられているので、把持部１０を手指で上方に押上操作することにより、後述するコイルばね１１の付勢力に抗して、取付部７との間を開く方向に挟持部材９を回動させることができる。図２（ａ）に示すように、一対の把持部１０は、一対の挟持部材９の上部にそれぞれ独立に取り付けられるので、取付部７との間を開く方向の力を、一対の挟持部材９に互いに独立に付与することができる。換言すれば、いずれか一方の把持部１０のみを押上操作することにより、一対の挟持部材９の一方のみを、取付部７との間を開く方向に回動させることができる。
【００５０】
一対のコイルばね１１は、その内部を貫通する軸８ｃに支持されて、中央部材８の両側に取り付けられる付勢部材である。図２（ａ）に示すように、コイルばね１１は、一端が中央板８ａの側面に当接し、他端が把持部１０の上面に当接する。したがって、把持部１０を手指で上方に押上操作して、挟持部材９と取付部７との間が開く方向に挟持部材９を回動させると、コイルばね１１は、中央板８ａと把持部１０との間で圧縮変形し、挟持部材９を、取付部７との間を閉じる方向に付勢する。ここで、一対のコイルばね１１は、中央部材８の両側に互いに独立して設けられているので、一対の挟持部材９を互いに独立に付勢することができる。
【００５１】
次に、図２（ｂ）を参照して取付部７について説明する。取付部７は、棒状部材５ｂの先端に一体的に設けられる部材であって、連結部７ａと、受板７ｂと、くびれ部７ｃとを備える。
【００５２】
連結部７ａは、上方に開口すると共に水平方向に貫通する溝を構成する部材である。中央部材８の嵌合突部８ｂを水平方向から挿入して連結部７ａに嵌合することにより、クリップ６が取付部７に脱着可能に連結される。
【００５３】
受部７ｂは、平板状に構成された部材であって、幅広面が連結部７ａの溝の貫通方向と平行となる向きで、連続溝部７ａの下方に設けられる。クリップ６が取付部７に連結された状態においては、一対の挟持部材９は受部７ｂの板厚方向の両側にブーツＢのはき口を挟持する。
【００５４】
なお、受部７ｂの幅広面のうち、挟持部材９との間でブーツＢのはき口を挟持する部分には、コルク材１２が貼付される。これにより、受部７ｂと挟持部材９との間に挟持されたブーツＢのはき口が滑り落ちることが抑制される。
【００５５】
くびれ部７ｃは、連結部７ａと受部７ｂとを連結する部材であって、横方向の長さ寸法が、連結部７ａおよび受部７ｂよりも短く構成されている。くびれ部７ｃの作用効果については後述する。
【００５６】
図３を参照して、基台部材２について説明する。図３は、基台部材２の斜視図である。なお、図３は、立設部材５が脱着された状態を示す図である。図３に示すように、基台部材２は、板状に構成された部材であって、上面略中央部には、立設部材５を連結するための連結部材３が配設されている。また、板厚方向に貫通する複数の貫通孔２ａが穿設されて、底面の四隅にはそれぞれ脚部２ｂが設けられる。これにより、ブーツのソールに付着した水滴が貫通孔２ａを通って水切りがされ、また、基台部材２の通気性が良くなるので、保管性に優れる。
【００５７】
次に、図１に戻り、上述のように構成されたブーツ支持具１の使用方法について詳細に説明する。図１において、ブーツ支持具１により直立状態に支持されたブーツＢを二点鎖線で示す。
【００５８】
ブーツ支持具１によりブーツＢを直立状態に支持させるに際しては、まず、ブーツＢのソールをブーツ支持具１の基台部材２上へ載置する。そして、クリップ６（挟持部材９）により、ブーツＢのはき口を挟持する。その結果、ブーツ支持具１は、その基台部材２に載置されたブーツＢのソールからクリップ６に挟持されたはき口までを直立状態に支持することができるので、かかるブーツＢの折れ曲がりや転倒を防止することができる。
【００５９】
ここで、クリップ６において、一対の挟持部材９は、取付部７（受部７ｂ）との間が互いに独立に開閉可能に配設されており、一対のコイルばね１１は、一対の挟持部材９を互いに独立に、取付部７との間が閉じる方向にそれぞれ付勢する。したがって、一対の把持部１０のうち、いずれか一方の把持部１０のみを上方に押上操作することにより、一方の挟持部材９のみ回動させ、取付部７との間を開くことができる。その結果、取付部７と一方の挟持部材９との間に、片方のブーツＢのはき口を挟持させたまま、取付部７と他方の挟持部材９との間を開いて他方のブーツＢのはき口を介挿し、挟持させることができる。
【００６０】
よって、ブーツを脱いでブーツ支持具１により支持させる場合には、まず、片方のブーツＢを脱いで、そのはき口を取付部７と一方の挟持部材９との間に挟持させる。次に、もう片方のブーツＢを脱いだときには、先に脱いだブーツＢを挟持させたままで、取付部７と他方の挟持部材９との間を開き、後に脱いだブーツＢのはき口を介挿して挟持させることができる。すなわち、ブーツ支持具１によれば、ブーツＢのはき口を片方ずつ順番に挟持させることができるので、一対のブーツＢのはき口をまとめたり、ブーツＢ内部に保持具を挿入するなどの面倒な作業を要さずに、ブーツＢを容易に支持させることができる。
【００６１】
なお、ブーツＢの足首からふくらはぎに対応した筒部分の側面にファスナーが形成され、脱ぐときにそのファスナーをはき口から足首下まで下ろし、筒部分を開放して脚を抜くタイプのブーツが知られている。このようなブーツを履くときには、ファスナーを全開として、筒部分を開放した状態で脚を挿入し、ファスナーを全閉する。したがって、このようなブーツを脱いだ後は、ファスナーを開いたままで保管することが好ましい。
【００６２】
図４は、側面にファスナーが形成されたタイプのブーツを支持する場合におけるブーツ支持具１の使用方法を示す図である。本実施例のブーツ支持具１によれば、図４に示すように、開放された筒部分において、ファスナーＦにより分離された、はき口の２つの端部Ｅを重ね合わせて取付部７と挟持部材９との間に介挿して挟持させてもよい。これにより、ファスナーを閉めずともブーツＢを直立状態に支持することができ、ブーツＢを容易に支持させることができる。また、ファスナーＦが開放されたまま支持されるので、次回、ブーツＢを着用する際には、そのまま脚を挿入して履くことができる。
【００６３】
特に、ブーツ支持具１によれば、一対の挟持部材９は取付部７に対し外側に凸に湾曲した薄板状に構成され、上下方向中央部と取付部７との間に間隙を有するので（図１（ａ）参照）、挟持部材９の上下方向中央部と取付部７との間において作業スペースが確保されて作業がし易い。また、取付部７において、連結部７ａと受部７ｂとの間にくびれ部７ｃが設けられることにより、連結部７ａと受部７ｂとの間がくびれているので、連結部７ａと受部７ｂとの間においても作業スペースが確保される。よって、ファスナーが開放されることにより分離された、はき口の２つの端部Ｅを、手指などにより重ね合わせて挟持させる場合であっても作業がし易く、ブーツを容易に支持させることができるという効果がある。
【００６４】
また、ブーツ支持具１によれば、取付部７とその両側に設けられた一対の挟持部材９との間で、ブーツのはき口がそれぞれ片方ずつ挟持されるので、一対のブーツをそれぞれ分離して支持する場合に比較して、省スペースでブーツを支持することができ、また、部品点数を少なくして、ブーツ支持具１を低コストとすることができる。
【００６５】
なお、一対の挟持部材９の横幅寸法Ｌは、２．５ｃｍ以上４ｃｍ未満とすることが好ましい。このようにすれば、様々な種類のブーツを好適に支持させることができる。挟持部材の横幅寸法が２．５ｃｍ未満であると、挟持部材９の挟持力が小面積に集中して、ブーツＢが傷みやすく、一方、挟持部材９の横幅寸法が４ｃｍ以上であると、ブーツＢのはき口に挿入しにくいのである。なお、ここで、挟持部材９の横幅寸法Ｌとは、図１（ｂ）に示すように、ブーツ支持具１の側面視における左右方向の長さ寸法のことである。
【００６６】
また、ブーツ支持具１によれば、中央部材８が連結部７ａに脱着可能に連結されているので、クリップ６をブーツ支持具１から取り外して携帯することができる。クリップ６に一体的に取り付けられた一対の挟持部材９により、一対のブーツＢのはき口を挟持し、壁などに立て掛けると、ブーツＢを簡易的に直立状態に支持することができる。よって、クリップ６をブーツ支持具１から取り外して携帯することにより、ブーツ支持具１が設置されていない外出先であってもブーツを直立状態に支持することができて便利である。
【００６７】
以上、実施例に基づき本発明を説明したが、本発明は上記実施例に何ら限定されるものではなく、本発明の趣旨を逸脱しない範囲内で種々の改良変形が可能であることは容易に推察できるものである。なお、以下の変形例において、実施例のブーツ支持具１と同一の構成については同一の符号を付して図示及び説明を省略する。
【００６８】
例えば、上記実施例のブーツ支持具１では、挟持部材９は取付部７の受面７ｂとの間が開閉可能に構成されていたが、図５（ａ）に示すように、挟持部材１９と中央板部１８ａとの間が開閉可能に設けられるものであってもよい。この場合、棒状部材５ａ、５ｂ、連結部７ａ、中央板部１８ａが請求項の立設部材に相当する。
【００６９】
また、上記実施例のブーツ支持具１では、挟持部材９がくし状に構成されていたが、必ずしもくし状に構成されていなくても良い。また、図５（ｂ）に示すように、挟持部材９に替えて、上下方向中央部の横幅寸法を短くした挟持部材２９を用いても良い。このようにすれば、挟持部材２９の上下方向中央部において、作業スペースが確保され、作業がし易い。
【００７０】
また、上記実施例のブーツ支持具１では、付勢部材として、コイルばね１１が設けられていたが、挟持部材９を互いに独立に付勢することができる部材であれば、コイルばねに限られず、例えば板ばねなどの他のばね部材が用いられても良い。また、付勢部材としては、ばね部材に限られず、図６に示すように、立設部材１５と、立設部材１５の両側にそれぞれ配設された一対の挟持部材３９とを束ねて囲う摺動子３０であってもよい。摺動子３０を下方に摺動させることにより、一挟持部材３９を互いに独立に、立設部材１５との間を閉じる方向に付勢し、ブーツＢのはき口を挟持するように構成することができる。
【００７１】
また、上述のブーツ支持具１では、コルク材１２が平板状の受部７ｂの幅広面上にそのまま貼付されていたが、コルク材１２を受部７ｂにはめ込んで貼付するものであっても良い。また、コルク材１２に替えて、ゴム材やスポンジ構造の合成樹脂を貼付するものであっても良い。ゴム材やスポンジ構造の合成樹脂のように、弾力性のある材料を用いることにより、挟持部材９の挟持力を吸収し、挟持部材９によりブーツのはき口が傷むことを抑制することができ、且つブーツのはき口の滑り落ちを抑制できる。
【００７２】
また、上述のブーツ支持具１では、クリップ６が取り外し可能に構成されていたが、クリップ６を取付部７に一体的に固定し、取り外し不可能に構成しても良い。
【図面の簡単な説明】
【００７３】
【図１】本発明の一実施例であるブーツ支持具を示した図であり、（ａ）はブーツ支持具の正面図であり、（ｂ）はブーツ支持具の側面図である。
【図２】（ａ）は、クリップを拡大して示す斜視図であり、（ｂ）は、クリップが脱着された取付部を拡大して示す斜視図である。
【図３】基台部材の斜視図である。
【図４】はき口の２つの端部を重ね合わせて取付部と挟持部材との間に介挿して挟持させた状態を示す図である。
【図５】挟持部材の変形例を示す図である。
【図６】付勢部材の変形例を示す図である。
【図７】従来のブーツ支持具を示す図である。
【符号の説明】
【００７４】
１           ブーツ支持具
２           基台部材（基台）
２ａ         貫通孔
５           立設部材
５ａ，５ｂ   棒状部材（立設部材の一部）
６           クリップ
７           取付部（立設部材の一部）
７ａ         連結部
７ｂ         受部
８           中央部材
９           挟持部材
１０         把持部
１１         コイルばね（付勢部材）
１２         コルク材
Ｂ           ブーツ
Ｌ           挟持部材の横幅寸法
【図１】
2006325677.tif 000003
【図２】
2006325677.tif 000004
【図３】
2006325677.tif 000005
【図４】
2006325677.tif 000006
【図５】
2006325677.tif 000007
【図６】
2006325677.tif 000008
【図７】
2006325677.tif 000009